(57)【要約】 【課題】  縦長の表示画面を横長の表示画面の使用態様で使用する場合には、携帯電話機の把手板を片手で握った状態で携帯電話機の入力操作部を親指で自由に操作することができること。【解決手段】  携帯電話機本体の後壁に回動自在に添設されかつ携帯電話機本体に対して直交状態まで回動した際に携帯電話機本体から突出する把手板と、この把手板の枢着部分が前記後壁の一端部に圧接するように軸支する支持軸と、この支持軸を介して把手板に水平状態に支持された携帯電話機本体の横状態になった表示部に対応して情報の位置や表示設定が視覚上見え易く表れるように表示部に対する情報素子を駆動する情報素子駆動回路と、該情報素子駆動回路と電気的に接続にする制御部と、この制御部に携帯電話機本体の縦使用又は横使用の使用態様に対応して情報表示用切換え信号を入力するための切換え入力手段とを備える携帯電話機。【選択図】  図６
2005051667.tif 000002
【特許請求の範囲】
【請求項１】
下部側に入力操作部、上部側に縦長表示部をそれぞれ有する携帯電話機本体と、この携帯電話機本体の前記入力操作部の後壁に回動自在に添設され、かつ、携帯電話機本体に対して直交状態まで回動した際に携帯電話機本体から突出する把手板と、この把手板の枢着部分が前記後壁の一端部に圧接するように軸支する支持軸と、この支持軸を介して前記把手板に水平状態に支持された携帯電話機本体の横状態になった表示部に対応して情報の位置や表示設定が視覚上見え易く表れるように表示部に対する情報素子を駆動する情報素子駆動回路と、該情報素子駆動回路と電気的に接続にする制御部と、この制御部に携帯電話機本体の縦使用又は横使用の使用態様に対応して情報表示用切換え信号を入力するための切換え入力手段とを備える携帯電話機。
【請求項２】
請求項１に於いて、把手板の突出部分の少なくとも二本の指が当たる縁部は、把持する上位の指が内側に入り込むように湾曲状に形成されていることを特徴とする携帯電話機。
【請求項３】
下部側に入力操作部、上部側に縦長表示部をそれぞれ有する携帯電話機本体１と、この携帯電話機本体に着脱自在に嵌合する把手板部材２４と、この把手板部材２４を構成する嵌合保持枠板２５の後壁２５ａに回動自在に添設され、かつ、携帯電話機本体１に対して直交状態まで回動した際に少なくとも二本の指が当たる縁部１１ａが携帯電話機本体１から突出する把手板１１Ａと、この把手板１１Ａの枢着部分１１ｃが前記後壁２５ａの一端部に圧接するように軸支する支持軸１３Ａと、この支持軸１３Ａを介して前記把手板１１Ａに水平状態に支持された携帯電話機本体１の横状態になった表示部４に対応して情報の位置や表示設定が視覚上見え易く表れるように表示部に対する情報素子を駆動する情報素子駆動回路１８と、該情報素子駆動回路と電気的に接続にする制御部１５と、この制御部に携帯電話機本体の縦使用又は横使用の使用態様に対応して情報表示用切換え信号を入力するための切換え入力手段７とを備える携帯電話機。
【請求項４】
下部側に入力操作部、上部側に縦長表示部をそれぞれ有する携帯電話機本体１と、この携帯電話機本体に着脱自在に嵌合する把手板部材２４Ａと、この把手板部材２４Ａを構成する嵌合保持枠板２５Ａの後壁２５ａに回動自在に添設され、かつ、携帯電話機本体１に対して直交状態まで回動した際に少なくとも二本の指が当たる縁部１１ａが携帯電話機本体１から突出する把手板１１Ｂと、この把手板１１Ｂを前記後壁２５ａの一端部に軸支する支持軸１３Ｂと、前記嵌合保持枠板２５Ａを介して携帯電話機本体１を所定の位置で保持することができるように把手板部材２４Ａに設けた携帯電話機用保持手段２７と、前記支持軸１３Ｂを介して把手板１１Ｂに水平状態に支持された携帯電話機本体１の横状態になった表示部４に対応して情報の位置や表示設定が視覚上見え易く表れるように表示部に対する情報素子を駆動する情報素子駆動回路１８と、該情報素子駆動回路と電気的に接続にする制御部１５と、この制御部に携帯電話機本体の縦使用又は横使用の使用態様に対応して情報表示用切換え信号を入力するための切換え入力手段７を備える携帯電話機。
【請求項５】
下部側に入力操作部、上部側に縦長表示部をそれぞれ有する携帯電話機本体１と、この携帯電話機本体の前記入力操作部３の後壁３ａに収納ベース３０が固設され、かつ、該収納ベース３０の案内切欠窓から直接又は間接的に携帯電話機本体１と直交する方向へ進退動する把手板兼用操作片３９を有する把手板部材２４Ｂと、この把手板部材２４Ｂに水平状態に支持された携帯電話機本体１の横状態になった表示部４に対応して情報の位置や表示設定が視覚上見え易く表れるように表示部に対する情報素子を駆動する情報素子駆動回路１８と、該情報素子駆動回路と電気的に接続にする制御部１５と、この制御部に携帯電話機本体の縦使用又は横使用の使用態様に対応して情報表示用切換え信号を入力するための切換え入力手段７を備える携帯電話機。
【請求項６】
下部側に入力操作部、上部側に縦長表示部をそれぞれ有する携帯電話機本体１と、この携帯電話機本体の前記入力操作部３の後壁３ａに収納ベース３０Ｃが固設され、かつ、該収納ベース３０Ｃから取付け基端部の支軸を支点に携帯電話機本体１と直交する方向へ略１８０度回転突出する把手板１１Ｃを有する把手板部材２４Ｃと、この把手板部材２４Ｃに水平状態に支持された携帯電話機本体１の横状態になった表示部４に対応して情報の位置や表示設定が視覚上見え易く表れるように表示部に対する情報素子を駆動する情報素子駆動回路１８と、該情報素子駆動回路と電気的に接続にする制御部１５と、この制御部に携帯電話機本体の縦使用又は横使用の使用態様に対応して情報表示用切換え信号を入力するための切換え入力手段７を備える携帯電話機。
【発明の詳細な説明】
【技術分野】
【０００１】
本発明は、携帯電話機に関する。
【背景技術】
【０００２】
近年、ＰＨＳ，ｉ−ｍｏｄｅ（登録商標）などの携帯用電話機が普及している。携帯用電話機の形態は、普通一般に用途との関係で掌にのることができるような大きさにする必要があることから、その形状や液晶表示部の表示画面の大きさも制約を受ける。携帯用電話機の種類は、入力操作部の上方に液晶表示部が連設するストレート型と、入力操作部と液晶表示部とが一体的に設けられた折り畳み型に大別することができる。後者の折り畳み型電話機は、前者のストレート型よりも縦長表示画面が多少大きいものの、それでも情報（文字、図形など）が小さいので、表示画面が縦長であることも相俟って、読み難い或いは見にくいと感じる人がいる。また、縦長表示画面を有する携帯用電話機に於いて、縦長表示画面を横長の状態で見たいとか、横長の状態で入力操作部を操作したいという要求もあり得る。
【０００３】
出願人は、日本国特許庁の電子図書館を利用して調査して見たところ、縦長の表示画面を横長の表示画面の状態にし、かつ、把手板等を把持しながら入力操作部を操作する発想の技術を発見することができなかった。
【０００４】
一方、特許文献１．２に記載のように、携帯電話機の背面にスタント（脚部材）を取り付け、デーブルの上面に携帯電話機を載置して縦長の表示画面をそのまま見る技術は存在している。
【特許文献１】特開２０００−２２４２８３号公報
【特許文献２】登録実用新案第３０４６８１６号公報
【発明の開示】
【発明が解決しようとする課題】
【０００５】
本発明の第１の目的は、携帯電話機の縦長表示画面を横長表示画面としても使用することができると共に、縦長の表示画面を横長の表示画面の使用態様で使用する場合には、携帯電話機の把手板或いは把手板部材を片手で握った状態で携帯電話機の入力操作部を親指で自由に操作することができること。第２の目的は、把手板を持っても電話機本体は傾倒ないし回転しないこと。第３の目的は、携帯電話機を使用しない場合には、把手板或いは把手板部材が邪魔にならないこと。第４の目的は、電話機本体に把手板或いは把手板部材を簡単に取り付けることができることである。
【課題を解決するための手段】
【０００６】
本発明の携帯電話機は、下部側に入力操作部、上部側に縦長表示部をそれぞれ有する携帯電話機本体と、この携帯電話機本体の前記入力操作部の後壁に回動自在に添設され、かつ、携帯電話機本体に対して直交状態まで回動した際に携帯電話機本体から突出する把手板と、この把手板の枢着部分が前記後壁の一端部に圧接するように軸支する支持軸と、この支持軸を介して前記把手板に水平状態に支持された携帯電話機本体の横状態になった表示部に対応して情報の位置や表示設定が視覚上見え易く表れるように表示部に対する情報素子を駆動する情報素子駆動回路と、該情報素子駆動回路と電気的に接続にする制御部と、この制御部に携帯電話機本体の縦使用又は横使用の使用態様に対応して情報表示用切換え信号を入力するための切換え入力手段とを備えることを特徴とする。
【０００７】
また本発明の携帯電話機は、下部側に入力操作部、上部側に縦長表示部をそれぞれ有する携帯電話機本体１と、この携帯電話機本体に着脱自在に嵌合する把手板部材２４と、この把手板部材２４を構成する嵌合保持枠板２５の後壁２５ａに回動自在に添設され、かつ、携帯電話機本体１に対して直交状態まで回動した際に少なくとも二本の指が当たる縁部１１ａが携帯電話機本体１から突出する把手板１１Ａと、この把手板１１Ａの枢着部分１１ｃが前記後壁２５ａの一端部に圧接するように軸支する支持軸１３Ａと、この支持軸１３Ａを介して前記把手板１１Ａに水平状態に支持された携帯電話機本体１の横状態になった表示部４に対応して情報の位置や表示設定が視覚上見え易く表れるように表示部に対する情報素子を駆動する情報素子駆動回路１８と、該情報素子駆動回路と電気的に接続にする制御部１５と、この制御部に携帯電話機本体の縦使用又は横使用の使用態様に対応して情報表示用切換え信号を入力するための切換え入力手段７とを備えることを特徴とする（第２実施例）。
【０００８】
また本発明の携帯電話機は、下部側に入力操作部、上部側に縦長表示部をそれぞれ有する携帯電話機本体１と、この携帯電話機本体に着脱自在に嵌合する把手板部材２４Ａと、この把手板部材２４Ａを構成する嵌合保持枠板２５Ａの後壁２５ａに回動自在に添設され、かつ、携帯電話機本体１に対して直交状態まで回動した際に少なくとも二本の指が当たる縁部１１ａが携帯電話機本体１から突出する把手板１１Ｂと、この把手板１１Ｂを前記後壁２５ａの一端部に軸支する支持軸１３Ｂと、前記嵌合保持枠板２５Ａを介して携帯電話機本体１を所定の位置で保持することができるように把手板部材２４Ａに設けた携帯電話機用保持手段２７と、前記支持軸１３Ｂを介して把手板１１Ｂに水平状態に支持された携帯電話機本体１の横状態になった表示部４に対応して情報の位置や表示設定が視覚上見え易く表れるように表示部に対する情報素子を駆動する情報素子駆動回路１８と、該情報素子駆動回路と電気的に接続にする制御部１５と、この制御部に携帯電話機本体の縦使用又は横使用の使用態様に対応して情報表示用切換え信号を入力するための切換え入力手段７を備えることを特徴とする（第３実施例）。
【０００９】
また本発明の携帯電話機は、下部側に入力操作部、上部側に縦長表示部をそれぞれ有する携帯電話機本体１と、この携帯電話機本体の前記入力操作部３の後壁３ａに収納ベース３０が固設され、かつ、該収納ベース３０の案内切欠窓から直接又は間接的に携帯電話機本体１と直交する方向へ進退動する把手板兼用操作片３９を有する把手板部材２４Ｂと、この把手板部材２４Ｂに水平状態に支持された携帯電話機本体１の横状態になった表示部４に対応して情報の位置や表示設定が視覚上見え易く表れるように表示部に対する情報素子を駆動する情報素子駆動回路１８と、該情報素子駆動回路と電気的に接続にする制御部１５と、この制御部に携帯電話機本体の縦使用又は横使用の使用態様に対応して情報表示用切換え信号を入力するための切換え入力手段７を備えることを特徴とする（第４実施例）。
【００１０】
さらに、また本発明の携帯電話機は、下部側に入力操作部、上部側に縦長表示部をそれぞれ有する携帯電話機本体１と、この携帯電話機本体の前記入力操作部３の後壁３ａに収納ベース３０Ｃが固設され、かつ、該収納ベース３０Ｃから取付け基端部の支軸を支点に携帯電話機本体１と直交する方向へ略１８０度回転突出する把手板１１Ｃを有する把手板部材２４Ｃと、この把手板部材２４Ｃに水平状態に支持された携帯電話機本体１の横状態になった表示部４に対応して情報の位置や表示設定が視覚上見え易く表れるように表示部に対する情報素子を駆動する情報素子駆動回路１８と、該情報素子駆動回路と電気的に接続にする制御部１５と、この制御部に携帯電話機本体の縦使用又は横使用の使用態様に対応して情報表示用切換え信号を入力するための切換え入力手段７を備えることを特徴とする（第５実施例）。
【発明の効果】
【００１１】
（１）携帯電話機の縦長表示画面を横長表示画面としても使用することができると共に、縦長の表示画面を横長の表示画面の使用態様で使用する場合には、携帯電話機の把手板或いは把手板部材を片手で握った状態で携帯電話機の入力操作部を親指で自由に操作することができる。
（２）把手板の枢着部分が支持軸を介して電話機本体の後壁の一端部に圧接するように軸支されているので、把手板を持っても電話機本体は傾倒ないし回転しない。したがって、親指で操作釦を押し時に電話機本体が安定する。
（３）携帯電話機を使用しない場合には、把手板或いは把手板部材を元の位置へ回転、収納等をすることができるので、邪魔にならない。
（４）電話機本体に把手板或いは把手板部材を簡単に取り付けることができる。
（５）把手板に一側面に鏡、薄板状の電卓など付属物を取り付けることができる。
【発明を実施するための最良の形態】
【００１２】
以下、図面に示す本発明を実施するための最良の形態により、本発明を詳細に説明する。図１乃至７図は、本発明の第１実施例を示す各説明図である。まず図１を参照にして携帯電話機Ｘを説明する。携帯電話機の基本的形態は、普通一般に入力操作部の上方に液晶の表示部が連設するストレート型と、中心部の軸支部を介して入力操作部と表示部とが一体的に設けられた折り畳み型とに区分けすることができる。第１実施例の携帯電話機Ｘは、前者の折り畳み型に属するが、本発明は縦長の表示画面を有するのであればストレート型であっても良い。
【００１３】
（１）電話機本体１について説明する。電話機本体１は、軸支部２を基準にして下方に位置しかつ掌に載せることができる下部側の入力操作部３、上部側の縦長状液晶の表示部４をそれぞれ有する。入力操作部３は、図７に示すように内部に電話機の内部回路を有する。内部回路については、別欄で後述する。
【００１４】
入力操作部３は、ベース板部の上面に一体的に設けられている。また入力操作部３の表面の上部には、表示部４の表示画面に表れるカーソル（ポインター）の方向やメニューの選択に用いられる方向盤（ポインティング・デバイス）５が設けられている。また入力操作部３の方向盤５の下方側には、電源釦、数字釦、記号釦など複数個（例えば１８個）の操作釦６が整列状態に設けられている。さらに、操作釦６の右側下部の適宜部位には、内部回路の制御部に携帯電話機本体１の縦使用又は横使用の使用態様に対応して情報表示用切換え信号を入力するための切換え入力手段７が設けられている。
【００１５】
液晶の表示部４は、本実施例では縦長である。この縦長の表示部４は、後述する把手板１１を使用位置まで回動して片手で握り締めた時は、携帯電話機本体１が横になるので、当然、視覚上「横状態（ワイド画面の状態）」になる。なお、電話機本体１の細部については割愛するが、マイク８、スピーカ９、アンテナ１０等を備えている。
【００１６】
（２）把手板１１について説明する。把手板１１は、携帯電話機本体１の入力操作部３の後壁３ａに回動自在に添設される。この第1実施例では、図２で示すように入力操作部３よりも厚みが少ない薄板である。また、図３で示すように、入力操作部３の後壁３ａから食み出ない大きさで、かつ、長板状に形成されている。また、把手板１１の一方の縁部１１ａには、該把手板１１を携帯電話機本体１に対して直交状態まで回動した際に少なくとも二本の指が当たるように携帯電話機本体１の側壁１ａから突出する（図６参照）。
したがって、把手板１１は、片手で把持可能な所要の長さが必要である。例えば全体の長さが８ｃｍ程度、使用の際の突出部分１２の長さは５．５ｃｍ程度である。把手板１１の材質は、硬質の合成樹脂板である。
【００１７】
ところで、少なくとも二本の指が当たる一方の縁部１１ａには、把持する上位の指（例えば中指、薬指など）が内側に入り込むように湾曲状に形成されている。ここで、二本の指とは、例えば薬指と小指である。もちろん、図６で示すように中指、薬指、小指の３本の指が縁部全体１１ａにあてがうようにしても良い。
【００１８】
（３）支持軸１３について説明する。支持軸１３は、入力操作部３の後壁３ａと重なる把手板１１の枢着部分１１ｃが、入力操作部３の後壁３ａの一端部に圧接するように軸支する。支持軸１３の一例としてオネジが用いられている。
【００１９】
（４）電話機の内部回路について説明する。  図７は携帯電話機本体１の内部の回路を説明する。１５は制御部（以下「ＣＰＵ」という。）で、このＣＰＵ１５には各種の回路や装置が電気的に接続している。
【００２０】
すなわち、１６は情報やメインプログラムを記憶するファイル装置、１７は双方向の信号の授受が可能な信号変換回路、１８は表示画面に表れる情報を所定方向へ反転させる機能、情報を反転させた場合に文字数、行数等を画面表示（縦長か、それとも横長か）に対応して設定させる機能及びカーソルの方向を指定する機能をそれぞれ有する情報素子駆動回路である。さらに、液晶表示部４の上部に設けられたスピーカ９は電話回路２０に接続し、一方、入力操作部３の下部に設けたマイク８は信号変換回路１７に接続している。
【００２１】
（５）情報素子駆動回路１８
情報素子駆動回路１８は、支持軸１３を介して把手板１１に水平状態に支持された携帯電話機本体１の横状態になった液晶の表示部４に対応して情報の位置や表示設定が視覚上見え易く表れるように表示部４に対する情報素子を駆動する。
【００２２】
（６）切換え入力手段７
切換え入力手段７は、制御部１５に携帯電話機本体１の縦使用又は横使用の使用態様に対応して情報表示用切換え信号を入力するための手段である。この切換え入力手段７は、複数個設けても良いが、本実施例では１個設け、切換え入力手段７を繰り返して押すことにより、表示部４の表示画面の文字情報が、図７で示すよう表示画面の縦横に対応して交互に切り替る。もちろん、切換え入力手段７は把手板１１を回転した際に自動的に切り替るように構成しても良い。この場合には、スイッチ用可動接触子、この可動接触子の検出信号を受け取る回転方向検出回路を設ける必要がある。
【００２３】
（７）使用時
上記構成に於いて、電話機本体１の表示部４を縦長表示画面４ａから横長表示画面４ｂにして使用したい場合には、把手板１１を電話機本体１に対して略９０度回動させる。そして、例えば切換え入力手段７を押す。切換え入力手段７を押すと、ＣＰＵ１５に情報表示用切換え信号ａが流れる。ＣＰＵ１５は「切換え信号ａ」を受け取ったならば、この切換え信号ａに基づく制御信号ｂを情報素子駆動回路１８に送る。
【００２４】
情報素子駆動回路１８は、縦長表示画面４ａから横長表示画面４ｂになった当該ワイド画面４ｂに文字情報が正しく表示されるように情報素子を駆動する制御信号ｃを出力する。
【００２５】
この情報素子駆動回路１８の各機能について述べると、（ａ）図示しない液晶表示板の走査方向を反転して文字等を縦（起こす）状態にする機能、（ｂ）当該情報を反転させた場合に文字数、行数等を当該ワイド画面４ｂに対応して画面全体に表示設定させる機能、（ｃ）方向盤５の操作に基づくカーソルの移動方向を当該ワイド画面に対応して正しく指示する切り替え機能がある。
【００２６】
そこで、電話機本体１を横にした状態で入力する時は、例えば図６で示すように把手板１１の突出部分１２の一方の縁部１１ａを２本又は３本の指で握り締め、また、手のひらの金星丘に相当する部分で突出部分１２の他方の縁部１１ｂを押さえると共に、人指し指で入力操作部３の後壁３ａを抑えるようにしながら親指で方向盤５や操作釦６を操作する。
【００２７】
（８）不使用時
把手板１１を使用しない時は、入力操作部３を握り締めるようにして中指、薬指等で把手板１１を引くと、該把手板１１は入力操作部３の後壁３ａに隠れてしまう。そして、携帯電話機Ｘを普通一般の使用態様で使用する場合には、切換え入力手段７を押す。そうすると、画面の表示態様が、横長表示画面４ｂから縦長表示画面４ａに切り替る。
【実施例】
【００２８】
第１実施例では、把手板１１の枢着部分１１ｃが支持軸１３を介して電話機本体１の後壁１ａの一端部に圧接するように軸支されているが、前記枢着部分１１ｃは必ずしも直接後壁１ａの一端部に圧接する必要はなく、他の部材（弾性体）を介して間接的に圧接しても良い。すなわち、ゴム、板バネ等の弾性体を介して把手板１１の枢着部分１１ｃを電話機本体１の後壁１ａの一端部に圧接するように構成しても、第１実施例の射程距離に含まれる。
【００２９】
次に、この欄では本発明の他の実施例について説明する。図８乃至図１０は第２実施例、図１１及び図１４は第３実施例、図１５及び図１７は第４実施例、図１８及び図２０は第５実施例である。なお、これらの各実施例は前記第１実施例と技術的思想が同一なので、同一の部分には同一または同様の符号を付して重複する説明を省略する。
【００３０】
図８乃至図１０に示す第２実施例に於いて、前記第１実施例と主に異なる点は、把手板部材２４である。この把手板部材２４は、図９で示すように断面リップミゾ形状の嵌合保持枠板２５と、この嵌合保持枠板２５の後壁２５ａに回動自在に添設され、かつ、携帯電話機本体１に対して直交状態まで回動した際に少なくとも二本の指が当たる縁部１１ａが携帯電話機本体１から突出する把手板１１Ａと、この把手板１１Ａの枢着部分１１ｃが前記後壁２５ａの一端部に圧接するように軸支する支持軸１３Ａとから成る。
【００３１】
したがって、第１実施例の把手板１１は、電話機本体１に直に軸支されているのに対し、第２実施例の把手板１１Ａは嵌合保持枠板２５に軸支され、しかも、嵌合保持枠板２５は、電話機本体１の入力操作部３に着脱自在に嵌合する。
【００３２】
ところで、第２実施例の支持軸１３Ａは、嵌合保持枠板２５の後壁２５ａの一端部に突出形成されているが、この支持軸１３Ａは、把手板１１Ａの軸孔２６及び支持軸１３Ａを介して該把手板１１Ａを嵌合保持枠板２５の後壁２５ａに添設した後に圧接回動可能な状態に適宜カシメ固定される。
【００３３】
図１１乃至図１４に示す第３実施例に於いて、前記第１実施例と主に異なる点は、把手板部材２４Ａである（説明の便宜上、第２実施例と同一・同様の符号も用いる）。
【００３４】
この把手板部材２４Ａは、第２実施例と同様に断面リップミゾ形状の嵌合保持枠板２５Ａと、この嵌合保持枠板２５Ａの後壁２５ａに回動自在に添設され、かつ、携帯電話機本体１に対して直交状態まで回動した際に少なくとも二本の指が当たる縁部１１ａが携帯電話機本体１から突出する把手板１１Ｂと、この把手板１１Ｂを前記後壁２５ａの一端部に軸支する支持軸１３Ｂとから成る。
【００３５】
そして、この第３実施例では、第１実施例、第２実施例のように把手板１１Ｂの枢着部分が支持軸１３Ｂを介して嵌合保持枠板２５Ａの後壁２５ａの一端部にそれぞれ圧接するように軸支されていない反面、嵌合保持枠板２５Ａを介して携帯電話機本体１を所定の位置で保持することができるように把手板部材２４Ａに携帯電話機用保持手段２７を設けている。
【００３６】
しかして、この保持手段２７は、嵌合保持枠板２５Ａの後壁２５ａに支持軸１３Ｂの同心円状に形成された複数個の係合孔２８と、これらの係合孔２８に選択的に係脱する係合小突起２９ａを有すると共に、弾性変位復帰機能を有する係合腕２９とから成る。
【００３７】
ところで、第３実施例の支持軸１３Ｂは、嵌合保持枠板２５Ａの後壁２５ａの一端部に突出形成されているが、この支持軸１３Ｂは、把手板１１Ｂの軸孔２６及び支持軸１３Ｂを介して該把手板１１Ｂを嵌合保持枠板２５Ａの後壁２５ａに添設した後に回動可能な状態に適宜カシメ固定される。
【００３８】
図１５乃至図１７に示す第４実施例に於いて、前記第１実施例と主に異なる点は、把手板部材２４Ｂである。この把手板部材２４Ｂは、携帯電話機本体１の入力操作部３の後壁３ａに接着層を介して固定されている。
【００３９】
しかして、符号３０は、入力操作部３の後壁３ａに食み出さないように固定された収納ベース板である。この収納ベース板３０は矩形状に形成され、一番大きい案内空洞部３１と、該案内空洞部３１に連設する案内切欠窓３２とを有している。案内切欠窓３２は携帯電話機本体１の長手方向と交差する一側壁部に形成され、かつ、上下の段差状切欠端部３３．３３に係止機能を付与するために案内空洞部３１よりも幅を狭く形成している。
【００４０】
次に符号３５は収納ベース板３０に進退動可能に収納された収納スライダーである。この収納スライダー３５は、前記案内空洞部３１に差込み収納され、かつ、収納スライダー３５の外端部側が前記案内切欠窓３２から突出した際に前記段差状切欠端部３３．３３に係合する内端部側の係合部３６．３６と、これらの係合部３６．３６に連設すると共に、把手板兼用操作片３９を介して外方向へ進出した時に該把手板兼用操作片３９を係止する切欠端部の係止部３７．３７とを有している。
【００４１】
本実施例は、収納スライダー３５は引き出し状に形成され、係合部３６．３６を有する内端面から係止部３７．３７を有する外端面まで、前述した収納ベース板３０と同様に第２案内空洞部３１Ａと第２案内切欠窓３２Ａを有している。
【００４２】
次に把手板兼用操作片３９は、収納ベース板３０に進退自在に案内される断面Ｔ字状の摺動部４０と、この摺動部４０の先端部に一体的に取り付けられた鞘状の摘み部４１とから成る。
【００４３】
上記構成に於いては、図１６で示すように、把手板兼用操作片３９を指で摘んで引き出すと、まず把手板兼用操作片３９がスライドし、次に把手板兼用操作片３９の係合部４２が収納スライダー３５の係止部としての切欠端部３３．３３に係合するので、該把手板兼用操作片３９の駆動力により収納スライダー３５が引き出される。
【００４４】
そこで、伸長した把手板部材２４Ｂを、片手に持って、かつ、親指で携帯電話機本体１の入力操作部３を操作する（図６と同様に携帯電話機本体１を持って操作する）。一方、把手板部材２４Ｂを使用しない場合には、摘み部４１を押し込むと、図１５で示すように、収納スライダー３５は収納ベース板３０の第１案内空洞部３１に完全に入り込むと共に、把手板兼用操作片３９も収納スライダー３５の第２案内空洞部３１Ａに略入り込む。この時摘み部４１は、収納ベース板３０から多少突出している。
【００４５】
なお、この実施例では、把手板兼用操作片３９は、収納スライダー３５を介して間接的に進退動するが、収納ベース３０の案内切欠窓から直接携帯電話機本体１と直交する方向へ進退動するように構成しても良い。
【００４６】
図１８乃至図２０に示す第５実施例に於いて、前記第１実施例と主に異なる点は、把手板部材２４Ｃである。この把手板部材２４Ｃは、携帯電話機本体１の入力操作部３の後壁３ａに接着層を介して固定されている。この点、前記第４実施例と同様である。
【００４７】
しかし、第４実施例の把手板兼用操作片３９は収納ベース板から伸縮するスライド型であるのに対し、第５実施例の把手板１１Ｃは、収納ベース板３０Ｃに軸支され、携帯電話機本体１と直交する方向へ回転突出する回転型である点が相違する。
【００４８】
すなわち、収納ベース板３０Ｃは、その中央部に一側壁３０ａから他側壁３０ｂにかけて幅広の収納切欠部４５を有している。本実施例では、図２０で示すように、収納切欠部４５の左右の切欠端面４５ａ．４５ｂは、把手板１１Ｃの左右の側壁１１ａ．１１ｂに滑り止め用の波状面を形成したので、これに対応する波状面となっている。
【００４９】
また把手板１１Ｃは、収納ベース板３０Ｃの他側壁３０ｂ側の軸穴に係合する左右の突起支軸４６．４６を介して１８０度回転することができるように収納ベース板３０Ｃに軸支されている。なお、把手板部材２４Ｃの前記波状面の適宜箇所には左右１対の係合小突起４７．４７が形成され、一方、把手板１１Ｃの左右の側壁１１ａ．１１ｂの自由端部には、前記係合小突起４７．４７と係脱する小係合孔４８．４８が形成されている。
【００５０】
上記構成に於いては、図１８で示すように、把手板１１Ｃの自由端部に指を掛け、適宜に仮想線の位置まで取付け基端部の支軸４６．４６を支点に回転させると、把手板１１Ｃは携帯電話機本体１と直交する方向へ回転突出する。そこで、該把手板１１Ｃを片手に持って、かつ、親指で携帯電話機本体１の入力操作部３を操作する（図６と同様に携帯電話機本体１を持って操作する）。
【産業上の利用可能性】
【００５１】
本発明は、主に携帯電話機を製造、販売している業界で利用される。
【図面の簡単な説明】
【００５２】
図１乃至図７は本発明の最良の実施例を示す各説明図。図８乃至図１０は本発明の第２実施例、図１１及び図１４は本発明の第３実施例、図１５及び図１７は本発明の第４実施例、図１８及び図２０は本発明の第５実施例である。
【図１】把手板を略９０度回転突出した状態の正面図。
【図２】把手板が回転突出しない状態の左側面図。
【図３】把手板が回転突出しない状態の背面図。
【図４】図３の４−４線概略断面図。
【図５】把手板と携帯電話機本体との関係を背面側から示す説明図。
【図６】把手板を握って携帯電話機本体を操作する説明図。
【図７】携帯電話機の回路説明図。
【図８】２実施例の背面図。
【図９】図８の９−９線概略断面図。
【図１０】要部（把手板部材）の分解説明図。
【図１１】第３実施例の背面図。
【図１２】図１１の１２−１２線概略断面図。
【図１３】要部（把手板部材）の分解説明図。
【図１４】把手板部材と携帯電話機本体との関係を示す説明図。
【図１５】第４実施例の背面側から一部分を切欠して示した説明図。
【図１６】要部（把手板部材）の分解説明図。
【図１７】把手板部材と携帯電話機本体との関係を示す説明図。
【図１８】第５実施例の背面側からの説明図。
【図１９】要部の概略断面説明図。
【図２０】要部（把手板部材）の説明図。
【符号の説明】
【００５３】
Ｘ…携帯電話機、1…電話機本体、２…軸支部、３…入力操作部、４…表示部、５…方向盤、６…操作釦、７…切換え入力手段、８…マイク、９…スピーカ、１０…アンテナ、１１．１１Ａ．１１Ｂ．１１Ｃ…把手板、１２…突出部分、１３．１３Ａ．１３Ｂ…支持軸、１５…制御部、１６…ファイル装置、１７…信号変換回路、１８…情報素子駆動回路、２０…電話回路、２４．２４Ａ．２４Ｂ．２４Ｃ…把手板部材、２５．２５Ａ…嵌合保持枠板、２６…軸孔、２７…携帯電話機用保持手段、２８…係合孔、２９…係合腕、３０．３０Ｃ…収納ベース板、３１．３１Ａ…案内空洞部、３２．３２Ａ…案内切欠窓、３３…切欠端部、３５…収納スライダー、３６．４２…係合部、３７…係止部、３９…把手板兼用操作片、４０…摺動部、４１…摘み部、４５…収納切欠部、４６…突起支軸。
【図１】
2005051667.tif 000003
【図２】
2005051667.tif 000004
【図３】
2005051667.tif 000005
【図４】
2005051667.tif 000006
【図５】
2005051667.tif 000007
【図６】
2005051667.tif 000008
【図７】
2005051667.tif 000009
【図８】
2005051667.tif 000010
【図９】
2005051667.tif 000011
【図１０】
2005051667.tif 000012
【図１１】
2005051667.tif 000013
【図１２】
2005051667.tif 000014
【図１３】
2005051667.tif 000015
【図１４】
2005051667.tif 000016
【図１５】
2005051667.tif 000017
【図１６】
2005051667.tif 000018
【図１７】
2005051667.tif 000019
【図１８】
2005051667.tif 000020
【図１９】
2005051667.tif 000021
【図２０】
2005051667.tif 000022